(57)【要約】【課題】血液遠心分離セルからの産出物の血液成分を個別に収集するための制御装置を提供する。【解決手段】本発明による制御装置は、ダクトを入れるための凹部を備えたサポートと、対応するレシーバを有する可視光線エミッタであって、これらは両方とも、ダクトを入れるための凹部に対して対向する側に配置されている、可視光線エミッタと、対応するレシーバを有する赤外光線エミッタであって、これらは両方とも、ダクトを入れるための凹部に対して対向する側に配置されている、赤外光線エミッタと、２つのレシーバによって得られた信号を検知して、信号値の間の比を計算し、ダクトによって運ばれる流体を個別の収集バッグの中に選択的に送るのに適した手段に信号を送るプロセッサであって、前記手段は流体が収集されるバッグを変えることができる、プロセッサとを備えている。【選択図】図１
2005081148.tif 000002
【特許請求の範囲】
【請求項１】
血液遠心分離セルからの産出物の血液成分を個別に収集するための制御装置において、前記セルは柔軟で軽量の透明な材料で作られたダクトによって、流体を選択的に送るために適した手段に連結されており、前記流体は個々の血液成分を個別に収集するためのバッグにダクトによって運ばれる、制御装置であって、
ダクトを入れるための凹部を備えたサポートと、
対応するレシーバを有する可視光線エミッタであって、これらは両方とも、サポートに形成された第１対の整列したレセプタクルに挿入され、ダクトを入れるための凹部に対して対向する側に配置されている、可視光線エミッタと、
対応するレシーバを有する赤外光線エミッタであって、これらは両方とも、サポートに形成された第２対の整列したレセプタクルに挿入され、ダクトを入れるための凹部に対して対向する側に配置されている、赤外光線エミッタと、
２つのレシーバによって得られた信号を検知して、信号値の間の比を計算し、ダクトによって運ばれる流体を個別の収集バッグの中に選択的に送るのに適した手段に信号を送るプロセッサであって、前記手段は流体が収集されるバッグを変えることができる、プロセッサと
を含む制御装置。
【請求項２】
プロセッサは、可視光線レシーバによって得られた信号がダクトにおける血小板のみの通過を一般的に示す値に達すると、ダクトによって運ばれる流体のアクセスを血漿収集バッグから血小板収集バッグへ先ず切り換えるために適した信号を送り、次に、２つのレシーバによって収集された信号値の間の比が、ダクトにおける赤血球の流れの始まりを一般的に示す値に到達すると、ダクトによって運ばれる流体のアクセスを血小板収集バッグから赤血球収集バッグへ切り換えるために適した信号を送る、請求項１に記載の装置。
【請求項３】
ダクトを収容するための凹部が、ダクト挿入のために均一の条件を作り出すために、より狭いアクセス部分を含む、請求項１または２に記載の装置。
【請求項４】
エミッタ用およびレシーバ用のレセプタクルがサポートにおける凹部に隣接した小さな孔を備え、各エミッタおよび対応するレシーバはサポートにおける凹部の横断軸に沿って位置し、こうしてダクトの壁によってまたは泡の存在によって生ずるあらゆる妨害による問題を回避する、請求項１乃至３のいずれかに記載の装置。
【請求項５】
可視光線エミッタと赤外光線エミッタがそれぞれ、サポートにおけるダクトを収容するための凹部に対して対向する側に形成されたレセプタクルに挿入されている、請求項１乃至４のいずれかに記載の装置。
【請求項６】
血液の流れに関して第１対のレセプタクルの近くで、サポートの中に第２対の整列されたレセプタクルが形成されている、請求項１乃至５のいずれかに記載の装置。
【請求項７】
第２対の整列されたレセプタクルが第１対の整列されたレセプタクルと同じ形状を有する、請求項１乃至６のいずれかに記載の装置。
【請求項８】
血液遠心分離セルからの産出物の血液成分を個別に収集するための方法であって、
（ｉ）血液遠心分離セルを提供するステップであって、前記セルは柔軟で軽量の透明な材料で作られたダクトによって、流体を選択的に送るために適した手段に連結されており、前記流体は個々の血液成分を個別に収集するためのバッグにダクトによって運ばれるステップと、
（ｉｉ）請求項１に記載の制御装置を提供するステップと、
（ｉｉｉ）血液遠心分離セルの中に血液を導くステップと、
（ｉｖ）血液を遠心分離するステップと、
（ｖ）制御装置を使用して血液遠心分離セルから血液成分を除去するステップと
を含む方法。
【請求項９】
プロセッサは、可視光線レシーバによって得られた信号がダクトにおける血小板のみの通過を一般的に示す値に達すると、ダクトによって運ばれる流体のアクセスを血漿収集バッグから血小板収集バッグへ先ず切り換えるために適した信号を送り、次に、２つのレシーバによって収集された信号値の間の比が、ダクトにおける赤血球の流れの始まりを一般的に示す値に到達すると、ダクトによって運ばれる流体のアクセスを血小板収集バッグから赤血球収集バッグへ切り換えるために適した信号を送る、請求項８に記載の方法。
【請求項１０】
ダクトを収容するための凹部が、ダクト挿入のために均一の条件を作り出すために、より狭いアクセス部分を含む、請求項８または請求項９に記載の方法。
【請求項１１】
エミッタ用およびレシーバ用のレセプタクルがサポートにおける凹部に隣接した小さな孔を備え、各エミッタおよび対応するレシーバはサポートにおける凹部の横断軸に沿って位置し、こうしてダクトの壁によってまたは泡の存在によって生ずるあらゆる妨害による問題を回避する、請求項８から１０までのいずれかに記載の方法。
【請求項１２】
可視光線エミッタと赤外光線エミッタがそれぞれ、サポートにおけるダクトを収容するための凹部に対して対向する側に形成されたレセプタクルに挿入されている、請求項８から１１までのいずれかに記載の方法。
【請求項１３】
血液の流れに関して第１対のレセプタクルの近くで、サポートの中に第２対の整列されたレセプタクルが形成されている、請求項８から１２までのいずれかに記載の方法。
【請求項１４】
第２対の整列されたレセプタクルが第１対の整列されたレセプタクルと同じ形状を有する、請求項８から１３までのいずれかに記載の方法。
【発明の詳細な説明】
【技術分野】
【０００１】
本発明は、血液遠心分離セルからの産出物の血液成分の個別収集における制御装置に関する。
【背景技術】
【０００２】
患者からの血液を処理する現在実施されている１つの方法が、遠心力によって血液成分を成分の異なる密度にしたがって分離するように回転するセルに、血液を導くことを含むことは周知である。この方式では、先ず血漿、次に血小板、そして最後に赤血球が、セルの産出物ダクトを通過する。これらの成分ができるだけ純粋になるように、すなわち僅かの量であっても他の成分と混合しないようにこれらの個別収集を実施するためには、セル産出物ダクトを通過する流体の組成をいつでも知っていることが決定的に重要であり、またセル産出物ダクトによって運ばれる流体が向けられる先のバッグを切り換えるためにコマンドが送られるべき瞬間を確認することも同様に重要である。
【発明の開示】
【発明が解決しようとする課題】
【０００３】
従来の技術は、完全に十分ではない装置を提案しており、したがって本発明の目的は、最適の方式でさまざまな血液成分を、特に、血液遠心分離セルの産出物ダクトによって運ばれる血小板の個別収集を提供する装置を提供することである。
【課題を解決するための手段】
【０００４】
本発明によって提案された目的を、血液遠心分離セルからの産出物の血液成分を個別に収集するための制御装置であって、前記セルは柔軟で軽量の透明な材料で作られたダクトによって、流体を選択的に送るために適した手段に連結されており、前記流体は個々の血液成分を個別に収集するためのバッグにダクトによって運ばれる、制御装置によって達成することができる。制御装置は、ダクトを入れるための凹部を備えたサポートと、対応するレシーバを有する可視光線エミッタであって、これらは両方とも、サポートに形成された第１対の整列したレセプタクルに挿入され、ダクトを入れるための凹部に対して対向する側に配置されている、可視光線エミッタと、対応するレシーバを有する赤外光線エミッタであって、これらは両方とも、サポートに形成された第２対の整列したレセプタクルに挿入され、ダクトを入れるための凹部に対して対向する側に配置されている、赤外光線エミッタと、２つのレシーバによって得られた信号を検知して、信号値の間の比を計算し、ダクトによって運ばれる流体を個別の収集バッグの中に選択的に送るのに適した手段に信号を送るプロセッサであって、前記手段は流体が収集されるバッグを変えることができる、プロセッサとを備えている。
【０００５】
本発明はまた、血液遠心分離セルからの産出物の血液成分を個別に収集するための方法であって、（ｉ）血液遠心分離セルを提供するステップであって、前記セルは柔軟で軽量の透明な材料で作られたダクトによって、流体を選択的に送るために適した手段に連結されており、前記流体は個々の血液成分を個別に収集するためのバッグにダクトによって運ばれるステップと、（ｉｉ）血液遠心分離セルからの産出物の血液成分を個別に収集するための、本明細書に記載されるような制御装置を提供するステップと、（ｉｉｉ）血液遠心分離セルの中に血液を導くステップと、（ｉｖ）血液を遠心分離するステップと、（ｖ）制御装置を使用して血液遠心分離セルから血液成分を除去するステップとを含む方法も提供する。
【０００６】
本発明の追加の特徴および利点は、以下の説明に述べられ、部分的にこの説明から明らかになろう。本発明の目的およびその他の利点は、記載された説明および特許請求の範囲において特に指摘した装置によって実現され、達成されよう。
【０００７】
前述の一般的説明および以下の詳細な説明は例示的かつ説明的なものであり、特許請求の範囲に記載するように、本発明のさらなる解釈を提供しようとすることを理解されたい。
【０００８】
さらなる特徴と利点は、添付の図面に限定されない実施例として示した本発明の好ましいが排他的ではない実施形態の説明から、さらによく明らかになろう。
【発明を実施するための最良の形態】
【０００９】
添付の図を参照すると、参照番号１は、柔軟で軽量の透明な材料で作られたダクト３を収容するための凹部２を含むサポートを示す。ダクト３は、一端において、管路５によって患者から到達する血液の遠心分離を実施するためのセル４の出口コネクタ４ａに接続されている。ダクト３は、他端においては、ダクトによって運ばれた流体を、個々の血液成分を個別に収集するためのバッグの中に選択的に送るのに適した、図示されていない手段に接続されている。したがって、先ず血漿、次に血小板、そして最後に赤血球がダクト３を通って流れ、それぞれの収集バッグに送られる。動作は自動的に行われるべきで、したがって血漿が流れをやめて、専用のバッグへの送りも止まると、血漿に続く血小板を適切に準備されたバッグに収集することを可能にする第１コマンドを送ることが必要となり、血小板がこれに続く赤血球によって汚染されることを望まない場合には、血小板のこれに専用のバッグにおける収集を行なう第２信号を送ることが必要である。
【００１０】
これはすべて図１から３までに示す本発明による制御装置によって提供され、この制御装置は、対応するレシーバ７を有する、例えば５７０ｎｍの波長で可視光線を放射するエミッタ６を備えている。可視光線は７８０ｎｍから３８０ｎｍまでの波長を有する光線である。エミッタ６とレシーバ７は、サポート１の中に形成された２つの整列するレセプタクル８および９の中に挿入されている。レセプタクル８および９は、凹部２に対して対向する側にそれぞれ配置され、孔８ａ、９ａを通じて凹部に通じ、これらの孔は凹部の横断軸においてさらに小さくなっており、したがって、ダクト２の壁によって発生する妨害によるか、またはダクトによって運ばれる流体における泡の存在による問題のない動作が保証される。エミッタ６とレシーバ７は、それぞれ参照番号６ａおよび７ａによって示されるリード線によって制御装置１０に接続されている。
【００１１】
図１から３までに示す本発明による制御装置はさらに、対応するレシーバ１２を有する、例えば９５０ｎｍの波長で赤外光線を放射するエミッタ１１を備えている。赤外光線は１ｍｍから８００ｎｍまでの波長を有する光線であるが、この範囲内の比較的短い波長は検知に適用するためには最も有用である。エミッタ１１とレシーバ１２は、２つの整列するレセプタクル１３および１４の中に挿入されており、レセプタクル１３と１４は凹部２に対して対向する側にそれぞれ位置し、孔１３ａ、１４ａによって凹部の中に通じている。エミッタ１１とレシーバ１２は、それぞれ参照番号１１ａおよび１２ａによって示されるリード線によって制御装置１０に接続されている。サポート１における対向する側に位置するエミッタ６および１１の上記の配置は、それぞれの信号のあらゆる妨害を排除する。
【００１２】
制御ユニット１０は、２つのレシーバ７および１２によって得られた信号を検知するのに適した手段を備え、信号値の間の比を計算し、後で説明するように、ダクト３によって運ばれる流体を個別の収集バッグの中に選択的に送るのに適した手段に信号を送る。この方法の始めに、上述のように、血漿はダクト３の中を流れ、実質的に同じ方式で、これを通過してそれぞれエミッタ６および１１によって放射される可視光線と赤外光線とを吸収する。結果的に、レシーバ７および１２によって受け取られた光線と制御ユニット１０に送られた信号は、実質的に同一であり、したがって、制御ユニット１０によって処理された信号値の間の比は実質的に１に等しい。流れる血漿はすべて血漿専用のバッグに送られる。
【００１３】
血漿の後に、血小板がダクト３を通って流れ、僅かに異なる方式で可視光線と赤外光線とを吸収する。吸収は赤外光線の方が僅かに低いので、赤外光線エミッタ１１によって放射される光線を受け取るレシーバ１２によって受け取られる光線は、可視光線エミッタ６によって放射される光線を受け取るレシーバ７によって受け取られる光線よりも僅かに大きい。操作者は、一般的に血小板の流れだけを示す可視光線レシーバによって送られる信号の値を確認することができ、したがって、前記の値に到達すると、制御ユニット１０内に含まれる手段は、ダクト３によって運ばれる流体が送られるバッグを切り換える信号を送る。この新しいバッグは、血小板を収集することを意味し、血小板が流れている時間中ずっとダクト３に接続されたままであるバッグである。
【００１４】
血小板の後に、赤血球がダクト３を通って流れ、赤外光線を可視光線よりも実質的に少なく吸収する。この結果、赤血球が流れ始めると、赤外光線と可視光線にそれぞれ関連する、レシーバ１２および７によって送られる信号の値の比は増加し始め、赤血球の濃度が上昇するにつれて急速に増加する。いずれにしても、一般的にダクト３内における赤血球の流れの始まりを表す比の値を確認することは可能であり、この値に到達すると、制御ユニット１０内に含まれる手段は、ダクトによって運ばれる流体を新しいバッグへ送る信号を送る。この新しいバッグは赤血球を収集する。
【００１５】
こうして、個別のバッグに３種類の血液成分を高い純度で自動的に収集した。この説明を終える前に、ダクト３を収容するためにサポート１の中に設けられた凹部２は、異なる操作者によって起り得るようにダクトが異なる方式で挿入される場合でも、ダクトをレセプタクルの中に挿入するために均一の条件を作り出すために、より狭いアクセス部分２ａを有することが注目される。
【００１６】
上記の説明と添付の図面は、本発明の実施形態を説明することを目的として提供され、いずれにしても本発明の範囲を限定しようとするものではない。本発明の精神と範囲から逸脱することなくさまざまな変更および変形を装置と方法において実施できることは、当業者には明白になろう。したがって、本発明は、これらの変更および変形が添付の特許請求の範囲とその等価物の範囲内にあることを条件として、これらの変更および変形を含むことを意図するものである。
【図面の簡単な説明】
【００１７】
【図１】参照として２点鎖線で示された遠心分離セルの産出物ダクトの上に取り付けられた、本発明の制御装置の全体図である。
【図２】図１の平面ＩＩ−ＩＩに沿って取った断面図である。
【図３】図１の平面ＩＩＩ−ＩＩＩに沿って取った断面図である。
【符号の説明】
【００１８】
１  サポート
２  凹部
３  ダクト
４  遠心分離セル
４ａ  出口コネクタ
５  管路
６  可視光線エミッタ
６ａ、７ａ、１１ａ、１２ａ  リード線
７  可視光線レシーバ
８、９、１３、１４  レセプタクル
８ａ、９ａ、１３ａ、１４ａ  孔
１０  制御装置
１１  赤外光線エミッタ
１２  レシーバ
【図１】
2005081148.tif 000003
【図２】
2005081148.tif 000004
【図３】
2005081148.tif 000005